(57)【特許請求の範囲】
【請求項１】
外方に張り出す張出片部を両側に有し、あらかじめ一方向に延在する外部の支持レールに沿って、他のユニットを相互に隣接させて取り付け可能な増設ユニットであって、
前記支持レールの延在する方向側に位置する一方のケース側面には隣接する他のユニットとの間を電気的に接続する第１の端子部と、他方のケース側面には隣接する他のユニットとの間を電気的に接続する第２の端子部と、を備え、
前記第１の端子部は、前記第２の端子部とは別体で構成され、前記第１の端子部側に隣接する前記他のユニットの取り付け時または取り外し時の移動中においてそのユニットの端子部が入り込む、侵入用凹部の延在方向に配置され、ケース内側において前記第２の端子部と電気的に接続され、
更に、前記第１の端子部と前記第２の端子部は、いずれもその一方端に二又の接触端子を有し、かつ他方端に単一の接触端子を有する導電部材で構成され、前記ケース内側において前記第１の端子部の単一の接触端子と前記第２の端子部の二又の接触端子が嵌合して接続されることを特徴とする増設ユニット。
【請求項２】
前記第１の端子部は、その端子部と隣接する前記他のユニットの嵌合型の端子部を、前記外部の支持レールの延在方向側から挿嵌できるように、嵌合型の他の端子部と交換可能であることを特徴とする請求項１記載の増設ユニット。
【請求項３】
前記侵入用凹部の深さは、隣接する前記他のユニットの前記支持レールへの取り付け時の進行方向において、後方側の深さが前方側の深さよりも小さいことを特徴とする請求項１または２記載の増設ユニット。
【請求項４】
請求項１から３いずれか１項に記載の増設ユニットを含むことを特徴とする電子機器。
【発明の詳細な説明】
【技術分野】
【０００１】  本発明は、例えば信号変換器、計測制御用遠隔入出力機または制御用プログラマブルコントローラなどの各種計装用の電子機器の一部のユニットを構成し、相互に隣接させてＤＩＮレールなどの支持レールに取り付けるための、増設ユニット及びその増設ユニットを含む電子機器に関するものである。
【背景技術】
【０００２】  従来、電子機器を構成する複数のユニットを相互に隣接させて、それらをまとめて外部の電子機器と電気的にバス接続する装置としては、所謂バックプレーンと称される構成が知られていた（例えば、特許文献１参照）。【０００３】  これは、予め同一基板上において複数実装されたピンヘッダのピンが、カードスロットルでスライド方向が予め位置決めされたＩＣカードの先端側の接続部に挿入されることにより、電気的な導通が可能となっている。【０００４】  また、ドイツ規格協会の規格に定められたＤＩＮレールなどの支持レールに、各種計装用の電子機器を構成するユニットを相互に隣接させて取り付けるため、隣接間の電気的な接続と機械的な接続の両方を併せて可能としたものとして、雌雄一対のコネクタハウジング（雄側コネクタと雌側コネクタ）を挿通接続し、かつ、ロック片の係合凹部をロック片係合部に係合させる構成も知られていた（例えば、特許文献２参照）。【０００５】  後者における従来の技術を、図１６（ａ）に示した従来の機器群取付装置の接続前の斜視図と、図１６（ｂ）の（１）〜（３）に示した要部の接続状態を段階的に説明する部分断面図を参照して説明する。【０００６】  ここで、端子台連結装置は、ロック片２７と、ロック片係合部２５とからなり、ロック片２７は相互に隣接する端子台５１，５２の一方の端子台５２の側面に形成され、先端が先細状であって係合凹部２７ａを有するものである。【０００７】  また、ロック片係合部２５は、端子台５１において隣接する端子台５２の対向面側の角部に、ロック片２７の係合凹部２７ａが係合するように形成されたものである。【０００８】  具体的には、端子台５１，５２の上端部の角部であって、上端面ならびに側面を連通するようにロック片挿入口２８を形成することにより得られたロック片係合部２５である。【０００９】  同様に、これは端子台５１，５２の下端部の角部であって、下端面ならびに側面を連通するようにロック片挿入口２８を形成することにより得られたロック片係合部２５である。【００１０】  このような構成においては、端子台５１，５２を連結するため、支持レール３６に沿って端子台５１，５２を互いに接近させると共に、支持レール３６の延在方向側から雄側コネクタ３８と雌側コネクタ３７を挿入接続し、これによりユニット３１と３２を電気的に接続した状態で、ロック片２７の係合凹部２７ａをロック片係合部２５に係合させればよい。【００１１】  図１６（ｂ）の（１）〜（３）は、ロック片２７とロック片係合部２５の関係を説明するための部分断面図であり、（１）は端子台５１，５２が接近し、ロック片２７の係合凹部２７ａがロック片係合部２５に係合する直前の状態であり、（２）は端子台５１，５２の側面が当接し、ロック片２７の係合凹部２７ａがロック片係合部２５に完全に係合した状態である。【００１２】  ここで、図１６（ｂ）の（２）の状態、つまり端子台５１，５２の連結状態を解除するには、図１６（ｂ）の（３）のようにロック片２７の先端を何らかの治具により真下へ押し下げ、係合凹部２７ａをロック片係合部２５との係合を解除すると共に、端子台５１，５２を互いに遠ざかる方向に移動（離間）させればよい。【００��３】  以上述べたように、端子台５１，５２の連結時にはロック片２７の係合凹部２７ａがロック片係合部２５に係合することにより、ユニット３１，３２同士の連結が確実に行われる。【００１４】  これにより、ユニット３１，３２の連結を解除するには、ロック片２７を押し下げるための治具が必要なため、そのような治具を利用しない限りは簡単に端子台５１，５２の連結を解除することができないという利点があった。
【先行技術文献】
【特許文献】
【００１５】
【特許文献１】  特開平６−１８７０６９号公報（第１３頁、図２）
【特許文献２】  特開２０００−５９０４３号公報（第８頁、図５）
【発明の概要】
【発明が解決しようとする課題】
【００１６】  しかしながら、前述したような従来のユニットの構成では、例えばユニットが支持レールの延在する方向において、複数台が積層するように密着して列べられている。【００１７】  そのため、そのうちの任意の一台のユニットを新たな一台と交換する場合には、支持レールに既に取り付けられている既存のユニットのうち、交換を必要とするユニットの右側又は左側に位置する全てのユニットを一旦支持レールの延在方向に移動させ、交換後にそれらを元の位置に戻すという、実質的な交換作業とは異なる余計な準備作業と修復作業が必要となる。【００１８】  これは、相互に連結したユニットのケース間の連結を解除するためには、少なくとも前述したロック片や雄側コネクタの長さ分だけ相互に隣接するユニットを離間させたうえで、支持レールから取り外すという作業が必要となるためである。【００１９】  また、既存の複数のユニット間にさらに新たなもう一台のユニットを増設する場合などにも、支持レールの延在する方向において、少なくともそのユニットの幅長にロック片や雄側コネクタの長さを加えた間隔の空間が予め必要となるため、同様の作業困難性を有していた。【００２０】  結果として、その交換作業や増設作業に手間がかかった分、その電子機器の通信制御機能によりプロセス制御等を行っている各種センサーや制御装置類の動作を長時間停止させてしまうこととなる。【００２１】  結果として、そのプロセス自体の監視や制御状態が損なわれ生産性を著しく低下させてしまうというおそれもあった。【００２２】  さらには、ロック片や雄側コネクタがケースの幅長をさらに増大させる要素となり、ユニット自体のケース全体（幅長）の薄型化を大きく阻害する原因にもなっていた。【００２３】  本発明は、前記従来の課題を解決するもので、支持ールの延在方向において複数のユニットが相互に隣接するように配置されても、隣接する他のユニットの取付位置を全く変動させることなく又は殆ど変動させることなく、容易にユニット交換が可能な増設ユニット及びその増設ユニットを含む電子機器を提供することを目的とする。
【課題を解決するための手段】
【００２４】  前記従来の課題を解決するために、本発明の増設ユニットによれば、外方に張り出す張出片部を両側に有し、あらかじめ一方向に延在する外部の支持レールに沿って、他のユニットを相互に隣接させて取り付け可能な増設ユニットであって、支持レールの延在する方向側に位置する一方のケース側面には隣接する他のユニットとの間を電気的に接続する第１の端子部と、他方のケース側面には隣接する他のユニットとの間を電気的に接続する第２の端子部と、を備え、第１の端子部は、第２の端子部とは別体で構成され、前記第１の端子部側に隣接する前記他のユニットの取り付け時または取り外し時の移動中においてそのユニットの端子部が入り込む、侵入用凹部の延在方向に配置され、ケース内側において第２の端子部と電気的に接続されることを特徴としている。【００２５】  この構成により、支持レールの延在方向において複数の増設ユニットが相互に隣接するように取り付けられても、隣接する他のユニットの端子部が入り込む、侵入用凹部の延在方向に第１の端子部が配置されているため、支持レールの延在方向と直交する方向から他のユニットを脱着でき、隣接する他の増設ユニットの取付位置を全く変動させることなく又は殆ど変動させることなく、容易に増設ユニットの交換（脱着）が可能となる。【００２６】  また、本発明の増設ユニットによれば、前記構成に加え、第１の端子部と第２の端子部は、いずれもその一方端に二又の接触端子を有し、かつ他方端に単一の接触端子を有する導電部材で構成され、ケース内側において第１の端子部の単一の接触端子と第２の端子部の二又の接触端子が嵌合して接続されることが好ましい。【００２７】  この構成により、ケース内側において第１の端子部と第２の端子部との電気的な接続が容易となるのに加え、両者の形状を合致させて同一の部材で構成することも容易となる。【００２８】  また、本発明の増設ユニットによれば、前記構成に加え、第１の端子部は、その端子部と隣接する前記他のユニットの嵌合型の端子部を、外部の支持レールの延在方向側から挿嵌できるように、嵌合型の他の端子部と交換可能であることが好ましい。【００２９】  この構成により、例えば第１の端子部を嵌合型のストレートレセプタクルに交換することにより、ストレートプラグをケース側面に有する他のユニット（例えば、本体ユニット）と接続することが容易となる。【００３０】  つまり、増設ユニットを、異なる形態の端子部に接続変換できる変換用アダプタとして機能させて、多様な嵌合型の端子部との接続が可能となる。【００３１】  また、本発明の増設ユニットによれば、前記構成に加え、侵入用凹部の深さは、支持レールへの取り付け時の進行方向において、後方側の深さが前方側の深さよりも小さいことが好ましい。【００３２】  この構成により、進行方向における後方側（作業者から見て正面側、以下同じ）のケース内部に、外部の各種センサーや制御機器などと接続される信号の入出力用のコネクタ端子部を実装しても、後方側の侵入用凹部の深さが前方側の深さよりも小さいためケースの薄型化が妨げられない。【００３３】  したがって、相互に隣接させて支持レールなどに取り付けることが可能であって、かつ、後方側に入���力用のコネクタ端子部を配した増設ユニットであっても、ケースの肉厚を著しく薄くすることなく、コネクタ端子部を格納することができるため、例えばそのケース幅長を１２ｍｍ以下とする薄型化を実現できる。【００３４】  さらに、隣接する他のユニットと密着させたとしても、前方側の侵入用凹部の深さは、後方側の侵入用凹部の深さよりも大きいため、隣接する他のユニットの端子部を十分に入り込ませることができる。【００３５】  したがって、隣接する他のユニットとの間にデッドスペースを生じることがなく、それら他のユニットを含めた電子機器全体の幅方向のサイズをよりコンパクト化できる。【００３６】  また、本発明の電子機器によれば、前記構成の増設ユニットを含むことが好ましい。【００３７】  この構成により、支持ールの延在方向において複数の増設ユニットが相互に隣接するように配置されても、隣接する他の増設ユニットの取付位置を全く変動させることなく又は殆ど変動させることなく、容易に増設ユニットを交換できる。【００３８】  さらに、相互に隣接する増設ユニット間のデッドスペースを生じることがなく、それらを含む電子機器全体の幅方向のサイズをよりコンパクト化できる。
【発明の効果】
【００３９】  本発明の増設ユニット及びその増設ユニットを含む電子機器によれば、支持レールの延在方向において複数のユニットが相互に隣接するように配置されても、取付位置を全く変動させることなく又は殆ど変動させることなく、容易に隣接する他のユニット交換（脱着）が可能な増設ユニット及びその増設ユニットを含む電子機器を提供することができる。
【図面の簡単な説明】
【００４０】
【図１】本発明の実施の形態１における電子機器の全体斜視図
【図２】本発明の実施の形態１における増設ユニットの斜視図
【図３】本発明の実施の形態１における増設ユニットの第１の端子部側からみた左側面図
【図４】図３における増設ユニットのＡ−Ａ断面図
【図５】第１の端子部と第２の端子部の結合状態を示す斜視図
【図６】増設ユニットの分解斜視図
【図７】変換アダプタ用の増設ユニットの斜視図
【図８】変換アダプタ用の増設ユニットの分解斜視図
【図９】本発明の実施の形態２における電子機器の全体斜視図
【図１０】本発明の実施の形態２における増設ユニットの斜視図
【図１１】図１０における増設ユニットのＢ−Ｂ断面図
【図１２】（ａ）〜（ｃ）一方の増設ユニットの雄側端子部と、隣接する他方の増設ユニットの侵入用凹部との位置関係を取り付け段階毎に示す図
【図１３】本発明の実施の形態２における増設ユニットの左側面図
【図１４】支持レールに対する増設ユニットの傾きを説明するための部分断面図
【図１５】（ａ）〜（ｃ）本発明の実施の形態２における侵入用凹部の３つの変形例を示す図
【図１６】（ａ）従来の機器群取付装置の接続前の斜視図、（ｂ）要部の接続状態を段階的に説明する部分断面図
【発明を実施するための形態】
【００４１】  以下、本発明を実施するための形態について、図面を参照して説明する。
【００４２】（実施の形態１）
図１は、本発明の実施の形態１における電子機器の全体斜視図で、図２は、本発明の実施の形態１における増設ユニットの斜視図で、図３は本発明の実施の形態１における増設ユニットの第１の端子部側からみた左側面図で、図４は、図３における増設ユニットのＡ−Ａ断面図で、図５は、第１の端子部と第２の端子部の結合状態を示す斜視図で、図６は、増設ユニットの分解斜視図で、図７は、変換アダプタ用の増設ユニットの斜視図で、図８は、変換アダプタ用の増設ユニットの分解斜視図である。
【００４３】  以下の説明を容易にするため、図１において計測制御用遠隔入出力装置１０の幅方向をＸ軸、奥行き方向をＹ軸、高さ方向をＺ軸とする。
【００４４】  そして、これらＸ軸、Ｙ軸およびＺ軸は、３次元的に相互に直交する位置関係にある。
【００４５】  本図から明らかなように、破線で示した水平方向または垂直方向の一方向に直線的に延びる支持レールＬの延在方向はＸ方向と一致し、通常ユニット交換を行う作業者はＺ軸上における上方側に位置することになる。
【００４６】  通常、このような支持レールＬには、例えばＦＡ（ファクトリーオートメーション）に係わる製造装置（制御対象装置）などの場合、計測対象や制御対象が多数存在することに対応して、数台〜数十台またはそれ以上の台数のユニットが取り付けられる。
【００４７】  それらは、外形が同一若しくは類似するまたは外形は全く類似しないが通信系統や電源系統で相互に連携する各種ユニットであって、相互に隣接し、かつ、密接して取り付けられることが一般的である。
【００４８】  ここで、計測制御用遠隔入出力装置１０は、主として工業用計測の分野で使用できるもので、例えば現場に設置された下位の検出端（測温抵抗体、差圧発信器など、以下同じ）と中央制御室などに設置された上位の受発信器（指示計、記録計、調節計、ＰＬＣ、ＤＣＳ、コンピュータなど、以下同じ）との間の計測信号や制御信号などのデータ通信をネットワークケーブル（図示せず、以下同じ）を介して行うインターフェース機器であり、アナログ信号をディジタル信号に変換する、またはその逆方向の変換をする、などの信号変換機能をもつ入出力装置である。
【００４９】  そして、計測制御用遠隔入出力装置１０は、電源・通信ユニット（別名、本体ユニットとも称される）１１と、一方向に延在する支持レールＬに沿って積層するように隣接配置され、信号変換機能を有し、外部機器との間で入出力が可能な一乃至複数の増設ユニット（別名、入出力ユニットとも称される）１２と、その間において端子部の変換アダプタとして作用する増設ユニット１３と、から構成される。
【００５０】  前述したように、電源・通信ユニット１１は、ネットワークケーブルを介して上位の受発信器と接続されている。
【００５１】  また、増設ユニット１２は、上部のコネクタ端子部１２ｈを介して制御対象となる装置の検出端や制御機器と接続され、対象となる測定点数や制御点数に応じて複数台が適宜増設され、それぞれの内部通信バス（図示せず）が両側面の端子部を介して相互に接続されている。
【００５２】  そして、増設ユニット１３は、電源・通信ユニット１１の端子部（凸形状のストレートプラグ、図示せず）と増設ユニット１２の雌側端子部１２ｆ（図２参照）とのタイプ変換（異なるタイプの端子部同士を電気的に接続すること）し、変換アダプタとして作用するため、電源系統と通信系統の電気的な接続を行っている。
【００５３】  これらユニットは、全体としてリモート入出力装置（別名、リモートＩ／Ｏとも称される）として機能する。
【００５４】  なお、第１の端子部は、この雌側端子部１２ｆに相当する。
【００５５】  一方、計測制御用遠隔入出力装置１０の左部を構成する電源・通信ユニット１１の背面側（本図では下側、以下同じ）には、支持レールＬの延在方向に対して直交する方向にスライドする二対の可動スライダー１１ａが設けられている。
【００５６】  同様に、増設ユニット１２のケースの背面側には、一対の可動スライダー１２ａが設けられ、増設ユニット１３のケースの背面側には、一対の可動スライダー１３ａが設けられ、それらが支持レールＬの両側外方に張り出す張出片部Ｌ１のそれぞれを両側から挟み込むようにして挟持している。
【００５７】  これにより、各ユニットは、支持レールＬによって保持される。
【００５８】  そして、増設ユニット１２は、右側面の外方に突出した複数の雄側端子部１２ｂを介して、相互に隣接する他の増設ユニット１２との電源系統や通信系統の電気的な接続がなされる。
【００５９】  なお、第２の端子部は、この雄側端子部１２ｂに相当する。
【００６０】  また、隣接する他の増設ユニット１２に設けられた平板状に延出するスライドレール１２ｃ（図２、図３参照）に対して、進退方向（Ｚ軸上の方向、以下同じ）にスライドするように、ケースのケース右側面１２ｓｒの両側端部（Ｙ方向における両側端部）において進退方向に延びる延出片１２ｄが設けられている。
【００６１】  ここで、延出片１２ｄは、スライドレール１２ｃが嵌挿され進退方向にスライドするように、ケース右側面１２ｓｒの端部から突出し、Ｚ軸の方向から見てＬ字形状に内側に折れ曲がるように形成されている。
【００６２】  これにより、既に支持レールＬに取り付けられた増設ユニット１２に対して新たに同じ増設ユニット１２を隣接させて増設する場合や、任意の増設ユニット１２を交換（脱着）する際に、ガイド（案内役）の作用と接続後に離間を防止する締結作用が生じている。
【００６３】  なお、本図では、計測対象や制御対象における入出力の点数に応じて右方向に順次同一の増設ユニット１２が密接して増設されるが、それらについては図示を省略している。
【００６４】  次に、図２を参照して増設ユニット１２について詳細に説明する。
【００６５】  ここで、複数の侵入用凹部１２ｅは、ケース左側面１２ｓｌにおいてＺ軸と平行に延び、矩形状に窪むように形成されているが、支持レールＬへの取り付け時の進行方向（Ｚ軸上における下方、以下同じ）に沿って一定の深さを有している。
【００６６】  また、本図からも明らかなように、侵入用凹部１２ｅは、支持レールＬへの取り付け後において、隣接する他の増設ユニット１２の雄側端子部１２ｂ（図１参照）に対向する部分、すなわち本図における雌側端子部１２ｆの位置よりも取り付け時の進行方向における後方側（作業者側）に形成されている。
【００６７】  これにより、侵入用凹部１２ｅの延長上には、支持レールＬへの取り付け後において、隣接する他の増設ユニット１２の雄側端子部１２ｂと当接する雌側端子部１２ｆが設けられることとなり、相互に当接する雄側端子部１２ｂと雌側端子部１２ｆとの間で通電可能となっている。
【００６８】  従って、相互に隣接する他の増設ユニット１２との電源系統や通信系統の電気的な接続がなされる。
【００６９】  また、説明を省略するが、同様に増設ユニット１３の右側面の雄側端子部（図示せず）との接続がなされる。
【００７０】  一方、前述した延出片１２ｄと相互に嵌合し、進退方向においてスライドするスライドレール１２ｃは、隣接する他の増設ユニット１２の雄側端子部１２ｂが、その端子数に応じて形成された侵入用凹部１２ｅの後方側の部分に入り込むような位置関係にある場合、延出片１２ｄを規制しないような、進退方向の長さで形成されている。
【００７１】  すなわち、そのような位置関係にある場合、両側の延出片１２ｄはスライドレール１２ｃから開放された状態にあるので、支持レールＬへ取り付ける作業の初期または支持レールＬから取り外す作業の終期において、支持レールＬの延在する方向（Ｘ方向）とは直交する方向（Ｙ方向）にケースを傾けることができるため、相互間の位置規制による作業困難性が軽減される。
【００７２】  これにより、作業者は対象となる増設ユニット１２が高所または低所に位置する場合にもスムーズに交換作業や増設作業を行うことができる。
【００７３】  次に、図３を参照して、侵入用凹部１２ｅと雌側端子部１２ｆとの位置関係について説明する。
【００７４】  前述したように、複数の侵入用凹部１２ｅは、ケース左側面１２ｓｌにおいてＺ軸と平行に延び、矩形状に窪むように形成されているが、支持レールＬへの取り付け時の進行方向に沿って一定の深さを有している。
【００７５】  そして、雌側端子部１２ｆは、それぞれの侵入用凹部１２ｅに対応してその延在方向（Ｚ軸上における下方、支持レールＬへの取り付け時の進行方向と合致）に配置されている。
【００７６】  次に、図４を参照して、侵入用凹部１２ｅの深さとケース右側面１２ｓｒに配置される雄側端子部１２ｂとの関係について説明する。
【００７７】  本図は、増設ユニット１２をＸＺ平面で切断した断面図でもあるが、本図から明らかなように、雄側端子部１２ｂは、ケース右側面１２ｓｒから外方へ突出する凸部を構成している。
【００７８】  前述したように、ケース左側面１２ｓｌには、図示しない隣接する他の増設ユニット１２の雄側端子部１２ｂが入り込む侵入用凹部１２ｅがＺ方向に沿って形成され、侵入用凹部１２ｅの深さｄは、取り付け時の進行方向（本図では下方）において後方側の深さも前方側の深さとほぼ同じで一定になっている。
【００７９】  ここで、破線で示した雌側端子部１２ｆの外方側端部（本図では左側端部）は、少なくとも侵入用凹部１２ｅの底部よりも外方側（左側）に位置する関係になる。
【００８０】  すなわち、侵入用凹部１２ｅの深さｄは、隣接する他の増設ユニット１２の雄側端子部１２ｂのケース右側面１２ｓｒからの突出高さｈよりも大きく、雌側端子部１２ｆの外方側端部のケース左側面１２ｓｌからの深さは、隣接する他の増設ユニット１２の雄側端子部１２ｂのケース右側面１２ｓｒからの突出高さｈよりも小さくなるような設定が好ましい。
【００８１】  この設定により、隣接する他の増設ユニット１２を支持レールＬに取り付ける際または取り外す際にその雄側端子部１２ｂが侵入用凹部１２ｅと接触することを容易に回避できるので、相互の干渉が軽減されてスムーズに交換作業や増設作業を行うことができる。
【００８２】  また、支持レールＬに取り付けが完了し、両者が相互に隣接した状態では、雄側端子部１２ｂが雌側端子部１２ｆに確実に嵌り込むため、両者の電気的な接続が確実に行われる。
【００８３】  さらに、詳細には後述するが、雌側端子部１２ｆは、雄側端子部１２ｂとは別体で構成され、中央部分は断面Ｕ字形状に折り曲げられ、左端に二又の接触端子を有し、右端に単一の接触端子を有する形状となっている。
【００８４】  また、雌側端子部１２ｆと雄側端子部１２ｂは、導電性を有する同一部材で構成されているため、いずれも左端に二又の接触端子を有し、右端には単一の接触端子を有している。
【００８５】  そして、雌側端子部１２ｆと雄側端子部１２ｂは、ケース内側において雌側端子部１２ｆの右端（単一の接触端子１２ｆｍ）と雄側端子部１２ｂの左端（二又の接触端子１２ｂｆ）が嵌合して接続されている（図５参照）。
【００８６】  この構成により、ケース内側において雌側端子部１２ｆと雄側端子部１２ｂとの電気的な接続が容易となるのに加え、部品点数を半減することも容易となる。
【００８７】  また、この同一部材を３連、４連、または５連以上と左右端を嵌合させて、直列的に連結すれば、増設ユニット１２のケース幅長を大きくする必要が生じた際にも新たな形状（新たな長さ）の端子部を製作する必要がなくなるため、異なる幅長の増設ユニットであっても端子部を共通して利用することができる。
【００８８】  次に、図５を参照して、上述のように同一部材を２連に直列接続した場合について説明する。
【００８９】  なお、左側の雌側端子部１２ｆは、左基板１２ｋｌ（図４参照）に実装され、右側の雄側端子部１２ｂは右基板１２ｋｒ（図４参照）に実装されているが、両端子部のみの接続状態が分かるようにそれら基板など他の部材は省略した。
【００９０】  本図から明らかなように、雌側端子部１２ｆは、雄側端子部１２ｂとは別体で構成され、中央部分は塑性変形の加工が施され断面Ｕ字形状に折り曲げられ、その上部にはＺ方向の上方へＦの字形状に突出し、ケース内部の左基板１２ｋｌ（図６参照）の貫通孔１２ｐに嵌装される保持部１２ｆｈ（図４、図６参照）が形成されている。
【００９１】  そして、左端に形成された二又の接触端子１２ｆｆは、それらが相互に当接するように中央の断面Ｕ字形状に折り曲げられた部分からの付け根に内側への塑性変形の加工がさらに施され、隣接するユニットの雄側端子部１２ｂが上下方向から嵌挿（進入）し易いように、上下端部が外方に拡がるようなくの字形状の曲げ加工がなされている。
【００９２】  一方、右端に単一の接触端子１２ｆｍを有し、上下方向（Ｚ方向）の端部が薄肉化され、右側の雄側端子部１２ｂの二又の接触端子１２ｂｆに嵌挿（進入）し易いような形状となっている。
【００９３】  また、雄側端子部１２ｂは、雌側端子部１２ｆとは別体の同一部材で構成されているため、詳細な説明を省略するが、中央部分の上部にはＦの字形状の保持部１２ｂｈが形成され、左端に二又の接触端子１２ｂｆを有し、右端に単一の接触端子１２ｂｍを有している。
【００９４】  このような構成により、雌側端子部１２ｆの右端の単一の接触端子１２ｆｍが、雄側端子部１２ｂの左端の二又の接触端子１２ｂｆに嵌挿されると、分離可能に結合した状態となる。
【００９５】  つまり、二又の接触端子１２ｂｆは、単一の接触端子１２ｆｍが嵌挿されると側方に押し広げられ弾性による復元力が作用するため、両者間に所定の接触力が得られ、手動で分離可能であるものの電気的な接触抵抗は十分に小さくなっている。
【００９６】  以上説明したように、支持レールＬの延在する方向側に位置する一方のケース左側面１２ｓｌには隣接する他のユニットとの間を電気的に接続する第１の端子部、すなわち雌側端子部１２ｆを備え、他方のケース右側面１２ｓｒには隣接する他のユニットとの間を電気的に接続する第２の端子部、すなわち雄側端子部１２ｂを備え、第１の端子部は、第２の端子部とは別体で構成され、その端子部側に隣接する他のユニットの取り付け時または取り外し時の移動中においてそのユニットの端子部が入り込む、侵入用凹部１２ｅの延在方向に配置され、ケース内側において第２の端子部と電気的に接続されている。
【００９７】  次に、図６を参照して、内部の左基板１２ｋｌに嵌装された雌側端子部１２ｆについて説明する。
【００９８】  増設ユニット１２は、ケースの嵌合側のフックをそれぞれ解除することにより、上側ケース１２ｕａと下側ケース１２ｕｂに２分割され、その内部において、雌側端子部１２ｆが実装された左基板１２ｋｌと、雄側端子部１２ｂが実装された右基板１２ｋｒが、ＹＺ平面と平行に列ぶように配置される。
【００９９】  ここで、左基板１２ｋｌと右基板１２ｋｒは、隣接する他の増設ユニットや上部のコネクタ端子部１２ｈに接続される外部機器との間とのデータ通信が可能な内部通信バスの機能を有している。
【０１００】  そして、複数の雌側端子部１２ｆは、左基板１２ｋｌの中央下部に実装され、保持部１２ｆｈが貫通孔１２ｐに嵌装されることにより内部回路と電気的に接続されている。
【０１０１】  同様に、複数の雄側端子部１２ｂは、右基板１２ｋｒの中央下部に実装され、保持部１２ｂｈ（図５参照）が貫通孔（図示せず）に嵌装されることにより内部回路と電気的に接続されている（図４参照）。
【０１０２】  次に、図７を参照して、左側に隣接する電源・通信ユニット１１の嵌合型の端子部を、支持レールＬの延在方向側から挿嵌できるように、雌側端子部１２ｆを嵌合型であるストレートレセプタクル１３ｆに交換した増設ユニット１３について説明する。
【０１０３】  まず、増設ユニット１３は、図１に示した計測制御用遠隔入出力装置１０の全体において、電源・通信ユニット１１と、信号変換機能を有し制御対象となる装置の検出端や制御機器とコネクタ端子部１２ｈを介して接続される一乃至複数の増設ユニット１２のうち最も電源・通信ユニット１１に近い側のものとの間に配置される。
【０１０４】  ここで、ストレートレセプタクル１３ｆは、図６における雌側端子部１２ｆを実装する左基板１２ｋｌのみを切り離し（手動でケース内側の端子部同士の結合を解除し）、雄側端子部１３ｂの実装された右基板１３ｋｒ（図８参照）を残し、ストレートレセプタクル１３ｆを実装する左基板１３ｋｌ（図８参照）に交換されたものである。
【０１０５】  ここで、嵌合型の端子部とは、凸形状のハウジングの外側に接触端子を配したプラグと、凹形状のハウジングの内側に接触端子を配したレセプタクルの雌雄一対のうち一方の端子部を構成するものである。
【０１０６】  すなわち、ストレートレセプタクル１３ｆは、電源・通信ユニット１１の右側面に設けられた凸形状のストレートプラグ（図示せず、以下同じ）を受容できるように凹形状のハウジングの内面に上下計２０個の接触端子を備えて構成される。
【０１０７】  これにより、電源・通信ユニット１１の凸形状のストレートプラグを支持レールＬの延在方向側から挿嵌できるようになり、両者のハウジングが正常に結合（嵌合）すればストレートプラグの接触端子とストレートレセプタクル１３ｆの接触端子の一方または両方が弾性変形し適正な復元力で接触するため、接触抵抗の小さい確実な電気的な接続が得られる。
【０１０８】  つまり、増設ユニット１３は、電源・通信ユニット１１の端子部と増設ユニット１２との間において相互に端子部の雌雄の形態が異なっていても（雌雄が合致しなくても）、異なる形態の端子部に接続変換できる変換用アダプタとして機能する。
【０１０９】  これにより、接続しようとするユニットが多様な嵌合型の端子部を有していても、本ユニットを適用すれば電気的な接続が容易となる。
【０１１０】  次に、図８を参照して、内部の左基板１３ｋｌに嵌装されたストレートレセプタクル１３ｆについて説明する。
【０１１１】  ここで、増設ユニット１３は、ケースの嵌合側のフックをそれぞれ解除することにより、上側ケース１３ｕａと下側ケース１３ｕｂに２分割され、その内部において、ストレートレセプタクル１３ｆが実装された左基板１３ｋｌと、雄側端子部１３ｂが実装された右基板１３ｋｒが、ＹＺ平面と平行に列ぶように配置される。
【０１１２】  ここで、ケース左基板１３ｋｌと右基板１３ｋｒは、特に外部機器と接続されず能動的な回路機能はなく、ケース左側面１３ｓｌ側に隣接する電源・通信ユニット１１の右側面のストレートプラグ（図示せず）と右側面側に隣接する増設ユニット１２（図１参照）との間の単純な電気的な接続が可能なようにバイパス的な機能を有している。
【０１１３】  また、ストレートレセプタクル１３ｆと雄側端子部１３ｂは、いずれも導電性を有するものの同一部材ではないが、図５を用いて説明したものと同様に、それぞれの接触端子間が嵌合により分離可能に結合している。
【０１１４】  一方、増設ユニット１３のケース左側面１３ｓｌのスリット１３ｓには、２つのフック１３ｕｃの右側のＴの字形状部がそれぞれ嵌り込み、２箇所において電源・通信ユニット１１との結合部材として機能する。
【０１１５】  つまり、電源・通信ユニット１１の右側面に設けられた開口（図示せず）にフック１３ｕｃのコの字形状部が嵌挿され、スライダー１１ｓ（図１参照）をＺ方向のいずれかにスライドすることにより締結または解除を行うことができる。
【０１１６】  以上のように、増設ユニット１２の雌側端子部１２ｆは、上下ケースのフックで結合された部分を解除することにより一旦分解すれば、嵌合型のストレートレセプタクル１３ｆと交換することにより、変換アダプタとして機能させることができる。
【０１１７】  なお、本実施の形態においては、増設ユニット１２の上側ケース１２ｕａは、増設ユニット１３の上側ケース１３ｕａと比較すると、上部におけるコネクタ端子部１２ｈ用の開口の有無や左側面におけるストレートレセプタクル用の切り欠きの有無等、一部形態が異なるが、これは共用化のため形態を同じくするなど適宜最適設計すればよい。
【０１１８】  次に、本発明を実施するための他の形態について、図面を参照して説明する。
【０１１９】（実施の形態２）
まず、図９は、本発明の実施の形態２における電子機器の全体斜視図で、図１０は、本発明の実施の形態２における増設ユニットの斜視図で、図１１は、図１０における増設ユニットのＢ−Ｂ断面図で、図１２（ａ）〜（ｃ）は、一方の増設ユニットの雄側端子部と、隣接する他方の増設ユニットの侵入用凹部との位置関係を取り付け段階毎に示す図で、図１３は、本発明の実施の形態２における増設ユニットの左側面図で、図１４は、支持レールに対する増設ユニットの傾きを説明するための部分断面図で、図１５（ａ）〜（ｃ）は、本発明の実施の形態２における侵入用凹部の３つの変形例を示す図である。
【０１２０】  なお、実施の形態１において説明した構成要素と一致するものについては、同一の符号を付して以下説明する。
【０１２１】  また、説明を容易にするため、図９において計測制御用遠隔入出力装置１４の幅方向をＸ軸、奥行き方向をＹ軸、高さ方向をＺ軸とする。
【０１２２】  そして、これらＸ軸、Ｙ軸およびＺ軸は、３次元的に相互に直交する位置関係にある。
【０１２３】  本図から明らかなように、破線で示したように水平方向または垂直方向の一方向に直線的に延びる支持レールＬの延在方向はＸ方向と一致し、通常作業者はＺ軸上における上方側に位置することになる。
【０１２４】  通常、このような支持レールＬには、例えばＦＡ（ファクトリーオートメーション）に係わる製造装置（制御対象装置）などの場合、計測対象や制御対象が多数存在するため数台〜数十台、またはそれ以上の台数の外形が同一若しくは類似するまたは外形は類似しないが相互に連携するユニットが相互に隣接し、かつ、それらは密接して取り付けられることが一般的である。
【０１２５】  計測制御用遠隔入出力装置１４は、主として工業用計測の分野で使用できるもので、例えば現場に設置された検出端（測温抵抗体、差圧発信器など）と中央制御室などに設置された受発信器（指示計、記録計、調節計、ＰＬＣ、ＤＣＳ、コンピュータなど）との間のデータ通信をネットワークを介して行うインターフェース機器であり、アナログ信号をディジタル信号に変換する、またはその逆方向の変換をする、などの信号変換機能をもつ入出力装置である。
【０１２６】  そして、計測制御用遠隔入出力装置１４は、電源・通信ユニット１１と、一方向に延在する支持レールＬに沿って積層するように隣接配置され、外部機器との間で入出力が可能な一乃至複数の信号変換機能を有する増設ユニット１５と、その間において端子部の変換アダプタとして作用する増設ユニット１３と、から構成される。
【０１２７】  前述したように、電源・通信ユニット１１は、ネットワークケーブルを介して上位の受発信器と接続されている。
【０１２８】  また、増設ユニット１５は、上部のコネクタ端子部１５ｈを介して制御対象となる装置の検出端や制御機器と接続され、対象となる測定点数や制御点数に応じて複数台が適宜増設され、それぞれの内部通信バス（図示せず）が両側面の端子部を介して相互に接続されている。
【０１２９】  そして、増設ユニット１３は、電源・通信ユニット１１の端子部（凸形状のストレートプラグ、図示せず）と増設ユニット１５の雌側端子部１５ｆ（図１０参照）とのタイプ変換（異なるタイプのコネクタ同士を電気的に接続すること）を行い、電源系統と通信系統の電気的な接続を行っている。
【０１３０】  なお、第１の端子部は、この雌側端子部１５ｆに相当する。
【０１３１】  これらユニットは、一般に他の電子機器と離れた地点に設置が可能で全体としてリモート入出力装置（別名、リモートＩ／Ｏとも称される）として機能する。
【０１３２】  一方、計測制御用遠隔入出力装置１４の左部を構成する電源・通信ユニット１１の背面側（本図では下側）には、支持レールＬの延在方向に対して直交する方向にスライドする二対の可動スライダー１１ａが設けられている。
【０１３３】  同様に、増設ユニット１５のケースの背面側には、一対の可動スライダー１５ａが設けられ、増設ユニット１３のケースの背面側には、一対の可動スライダー１３ａが設けられ、それらが支持レールＬの両側外方に張り出す張出片部Ｌ１のそれぞれを両側から挟み込むようにして挟持している。
【０１３４】  これにより、各ユニットは、支持レールＬによって保持される。
【０１３５】  また、隣接する他の増設ユニット１５における外方に突出した複数の雄側端子部１５ｂを介して電気的にも接続され、相互に隣接する他のユニットとの電源系統の電圧供給や通信系統の送受信等が可能となっている。
【０１３６】  なお、第２の端子部は、この雄側端子部１５ｂに相当する。
【０１３７】  また、隣接する他の増設ユニット１５に設けられた平板状に延出するスライドレール１５ｃ（図１０参照）に対して、進退方向（Ｚ軸上の方向、以下同じ）にスライドするように、ケース右側面１５ｓｒの両側端部（Ｙ方向における両側端部）において進退方向に延びる延出片１５ｄが設けられている。
【０１３８】  ここで、延出片１５ｄは、スライドレール１５ｃが嵌挿され進退方向にスライドするように、ケース右側面１５ｓｒの端部から突出し、Ｚ軸の方向から見てＬ字形状に内側に折れ曲がるように形成されている。
【０１３９】  これにより、既に支持レールＬに取り付けられた増設ユニット１５に対して新たに同じ増設ユニット１５を隣接させて増設する場合や、任意の増設ユニット１５を交換（脱着）する際に、ガイド（案内役）の作用と接続後に離間を防止する締結作用が生じている。
【０１４０】  なお、本図では、計測対象や制御対象における入出力の点数に応じて右方向に順次同一の増設ユニット１５が密接して増設されるが、それらについては図示を省略している。
【０１４１】  次に、図１０を参照して増設ユニット１５について詳細に説明する。
【０１４２】  ここで、複数の侵入用凹部１５ｅは、ケース左側面１５ｓｌにおいてＺ軸と平行に延び、矩形状に窪むように形成されているが、取り付け時の進行方向（Ｚ軸上における下方、以下同じ）に沿って漸次深さが大きくなる後方側侵入用凹部１５ｅｒと、一定の深さを有する前方側侵入用凹部１５ｅｆとを備えている。
【０１４３】  そして、後方側侵入用凹部１５ｅｒは、前方側侵入用凹部１５ｅｆよりも取り付け時の進行方向において後方側（Ｚ軸上の上方、作業者から見たら正面側、以下同じ）に位置している。
【０１４４】  また、本図からも明らかなように、侵入用凹部１５ｅは、支持レールＬへの取り付け後において、隣接する他の増設ユニット１３または他の増設ユニット１５の雄側端子部１５ｂ（図９参照）に対向する部分、すなわち本図においては雌側端子部１５ｆの位置よりも取り付け時の進行方向における後方側に形成されている。
【０１４５】  これにより、侵入用凹部１５ｅの延長上には、支持レールＬへの取り付け後において、隣接する他の増設ユニット１５の雄側端子部１５ｂと当接する雌側端子部１５ｆが設けられることとなり、相互に当接する雄側端子部１５ｂと雌側端子部１５ｆとの間で通電可能となっている。
【０１４６】  一方、前述した延出片１５ｄと相互に嵌合し、進退方向においてスライドするスライドレール１５ｃは、隣接する他の増設ユニット１５の雄側端子部１５ｂが、その端子数に応じて形成された侵入用凹部１５ｅの前方側侵入用凹部１５ｅｆを除く部分に入り込むような位置関係にある場合、延出片１５ｄを規制しないような、進退方向の長さで形成されている。
【０１４７】  すなわち、そのような位置関係にある場合、延出片１５ｄはスライドレール１５ｃから開放された状態にあるので、支持レールＬへ取り付ける作業の初期または支持レールＬから取り外す作業の終期において、支持レールＬの延在する方向（Ｘ方向）とは直交する方向（Ｙ方向）にケースを傾けることができるため、相互間の位置規制による作業困難性が軽減される。
【０１４８】  これにより、作業者は対象となる増設ユニット１５が高所または低所に位置する場合にもスムーズに交換作業や増設作業を行うことができる。
【０１４９】  次に、図１１を参照して、侵入用凹部１５ｅの深さについて詳細に説明する。
【０１５０】  本図は、増設ユニット１５をＸＺ平面で切断した断面図でもあるが、本図から明らかなように、雄側端子部１５ｂは、ケース右側面１５ｓｒから外方へ突出する凸部を構成している。
【０１５１】  一方、ケース左側面１５ｓｌには、図示しない隣接する他の増設ユニット１５の雄側端子部１５ｂが入り込む侵入用凹部１５ｅが設けられ、侵入用凹部１５ｅの深さは、取り付け時の進行方向（本図では下方）における後方側の深さは前方側の深さよりも小さくなっている。
【０１５２】  そして、侵入用凹部１５ｅは、取り付け時の進行方向に沿って深さが漸次大きくなる後方側侵入用凹部１５ｅｒと、一定の深さを有する前方側侵入用凹部１５ｅｆとを備え、後方側侵入用凹部１５ｅｒは、前方側侵入用凹部１５ｅｆよりも取り付け時の進行方向において後方側に位置している。
【０１５３】  この構成により、後方側に入出力用のコネクタ端子部１５ｈを配した増設ユニット１５であっても、ケースの肉厚を著しく薄くすることなく、コネクタ端子部１５ｈを格納することができるため、例えばそのケース幅長（本図では左右方向の幅の長さ）を１２ｍｍ以下とする薄型化を実現できる。
【０１５４】  さらに、侵入用凹部１５ｅは、後方側侵入用凹部１５ｅｒと前方側侵入用凹部１５ｅｆとを接続する接続用凹部１５ｅｍを備え、接続用凹部１５ｅｍのケース左側面１５ｓｌに対する角度θｍは、後方側侵入用凹部１５ｅｒのケース左側面１５ｓｌに対する角度θｒよりも大きく、直角（９０°）よりも小さくなるように形成されている。
【０１５５】  また、一対の可動スライダー１５ａの爪部１５ａｔとケース背面１５ｇとの隙間の寸法Ｇについては、後述する。
【０１５６】  ここで、破線で示した雌側端子部１５ｆの外方側端部（本図では左側端部）は、少なくとも前方側侵入用凹部１５ｅｆの底部よりも外方側（左側）に位置する関係になる。
【０１５７】  すなわち、侵入用凹部１５ｅの最大深さｄｍａｘは、隣接する他の増設ユニット１５の雄側端子部１５ｂのケース右側面１５ｓｒからの突出高さｈよりも大きく、雌側端子部１５ｆの外方側端部のケース左側面１５ｓｌからの深さｓは、隣接する他の増設ユニット１５の雄側端子部１５ｂのケース右側面１５ｓｒからの突出高さｈよりも小さくなるような設定が好ましい。
【０１５８】  なお、本実施の形態２においては、雌側端子部１５ｆは、雄側端子部１５ｂとは別体で構成されており、形状が異なるものの、ケース内部において嵌合により接続されており、実施の形態１と同様であるため説明を省略する。
【０１５９】  次に、図１２（ａ）〜（ｃ）を参照して、左側に隣接する他の増設ユニット１５を取り付ける途中の段階を順次説明し、侵入用凹部１５ｅの効果について述べる。
【０１６０】  図１２（ａ）は、取り付け作業の初期の段階を示す図で、右側の増設ユニット１５を若干傾かせた状態（支持レールＬの延在方向に対してケース両側面が直角に位置する状態よりも右側に倒した状態）において、左側の増設ユニット１５が進行している。
【０１６１】  ここで、進行方向に沿ってケース間の離間距離が漸次狭まっていくが、後方側侵入用凹部１５ｅｒの方も深さが漸次大きくなっているため、進行させている左側の増設ユニット１５のケース右側面１５ｓｒから突出する雄側端子部１５ｂと、傾けた右側の増設ユニット１５のケース左側面１５ｓｌとの間に相互に大きな干渉を生じることなく、取り付けが可能となることを示している。
【０１６２】  図１２（ｂ）は、取り付け作業の中間期の段階を示す図で、雄側端子部１５ｂが接続用凹部１５ｅｍの傾斜面に沿って進行している様子を示している。
【０１６３】  ここで、前述したように、接続用凹部１５ｅｍのケース左側面１５ｓｌに対する角度θｍは、後方側侵入用凹部１５ｅｒのケース左側面１５ｓｌに対する角度θｒよりも大きいため、押し込む際の摺接抵抗が急激に小さくなり作業者は触覚的に感知できる。
【０１６４】  したがって、作業者はこの部分を経過すると勢いよく押し込むことができるので、作業性が向上する。
【０１６５】  一方、隣接する増設ユニット１５を取り外す場合には、直角（９０°）よりも小さな角度θｍを有する接続用凹部１５ｅｍによって、前方側侵入用凹部１５ｅｆから後方側侵入用凹部１５ｅｒへと滑らかに接続されているので、雄側端子部１５ｂが接続用凹部１５ｅｍに当接しても、スムーズに案内することができる。
【０１６６】  以上のように、薄型化、取り付け時または取り外し時のスムーズ性（隣接する増設ユニットのケースとの非干渉性）及び作業者の感知性の全てを確保するためには、角度θｒを１°〜１０°の範囲で選択し、角度θｍを５０°〜７０°の範囲で選択するのが好ましい。
【０１６７】  図１２（ｃ）は、取り付け作業の終期の段階を示す図で、前方側侵入用凹部１５ｅｆの深さは、進行させている増設ユニット１５の雄側端子部１５ｂのケース側面からの突出寸法よりも大きいため、一方の増設ユニット１５を予め若干傾かせた状態から元の状態（支持レールＬの延在方向に対して両ケース側面が直角に位置する状態）に戻すことができ、その増設ユニット１５のケース左側面１５ｓｌに、他方の増設ユニット１５のケース右側面１５ｓｒを密着させて進行方向にスライドさせることができる。
【０１６８】  次に、図１３を参照して、一対の可動スライダー１５ａの爪部１５ａｔとケース背面１５ｇとの隙間の寸法Ｇについて説明する。
【０１６９】  本図で示したように、増設ユニット１５は、支持レールＬ（図９参照）に取り付けるための一対の可動スライダー１５ａを、ケース背面１５ｇの上部（本図では左側）に有し、一対の可動スライダー１５ａの爪部１５ａｔとケース背面１５ｇとの隙間の寸法Ｇは、支持レールＬの張出片部Ｌ１の厚みの寸法ｔ（図１４参照）より大きく設定されている。
【０１７０】  加えて、隙間の寸法Ｇは、支持レールＬに取り付けられた後の状態において、ケース背面１５ｇが、支持レールＬの延在方向に対して最大傾きθｍａｘ（図１４参照）で２°以上、１０°以下の傾きを生じるような寸法に設定されている。
【０１７１】  次に、図１４を参照して隙間の寸法Ｇと前述した最大傾きθｍａｘとの関係を説明する。
【０１７２】  本図は、図１１における断面図の前方側の一部のみを示した部分断面図であるが、水平方向（本図では左右方向）に延在する支持レールＬの張出片部Ｌ１の上下端部を破線で示して、増設ユニット１５が最大に傾いた時の相対的な位置関係を模式的に示している。
【０１７３】  ここで、ケース背面１５ｇの、支持レールＬの延在方向に対する最大傾きθｍａｘについて説明する。
【０１７４】  まず、一対の可動スライダー１５ａの爪部１５ａｔとケース背面１５ｇとの隙間の寸法Ｇと、張出片部Ｌ１の厚みの寸法ｔとから寸法差（Ｇ−ｔ）を求める。
【０１７５】  次に、ケース背面端部Ｐ１と、爪部１５ａｔの遠方側端部Ｐ２との長さａを求める。
【０１７６】  そして、寸法差（Ｇ−ｔ）と長さａとの比率（（Ｇ−ｔ）／ａ）から求められる逆正接（角度）が２°以上、１０°以下となるように、隙間の寸法Ｇを設定するのが好ましい。
【０１７７】  つまり、増設ユニット１５を取り付けようとする外部の支持レールＬが、例えばＤＩＮレールの場合であって、その張出片部Ｌ１の厚みの寸法ｔが１．０ｍｍとするならば、少なくとも隙間の寸法Ｇは、１．０ｍｍよりも大きく設定し、かつ、寸法差（Ｇ−ｔ）と長さａとの比率（（Ｇ−ｔ）／ａ）から求まる逆正接（角度）が２°以上、１０°以下の範囲で所望の角度となるようにその数値を設定すればよい。
【０１７８】  次に、図１５（ａ）〜（ｃ）を参照して、本実施の形態２における侵入用凹部１５ｅの３つの変形例を説明する。
【０１７９】  図１５（ａ）は、第１の変形例であって、増設ユニット２１の侵入用凹部２１ｅは、取り付け時の進行方向に沿って、ケース左側面２１ｓｌからの深さが漸次大きくなっている。
【０１８０】  図１５（ｂ）は、第２の変形例であって、増設ユニット２２の侵入用凹部２２ｅは、第１侵入用凹部２２ｅｒ、第２侵入用凹部２２ｅｍ及び第３侵入用凹部２２ｅｆと、それらを接続する接続用凹部２２ｅｓとから構成されている。
【０１８１】  ここで、第１侵入用凹部２２ｅｒ、第２侵入用凹部２２ｅｍ、第３侵入用凹部２２ｅｆは、それぞれケース左側面２２ｓｌから一定の深さを有するが、取り付け時の進行方向に沿って、順次深さが大きくなっている。
【０１８２】  図１５（ｃ）は、第３の変形例であって、増設ユニット２３の侵入用凹部２３ｅは、後方側侵入用凹部２３ｅｒと前方側侵入用凹部２３ｅｆとから構成されている。
【０１８３】  ここで、後方側侵入用凹部２３ｅｒは、取り付け時の進行方向に沿って、加速度的（放物線的）にケース左側面２３ｓｌからの深さが大きくなっている。
【０１８４】  そして、接続部を介することなくケース左側面２３ｓｌから一定の深さの前方側侵入用凹部２３ｅｆに接続されている。
【０１８５】  なお、本発明の技術的範囲は、上述したいずれかの実施の形態に限定されるものでなく、請求項に示した範囲で種々の変形が可能であり、かつ、異なる実施の形態にそれぞれ開示された技術的な手段を適宜組み合わせて得られるような実施の形態の変形例についても本発明の技術的範囲に含まれるものとする。
【０１８６】  例えば、前述した実施の形態で説明した増設ユニット１２，１３，１５のケースや一対の可動スライダー１２ａ，１３ａ，１５ａの素材としては、例えばＰＢＴ（ポリブチレンテレフタレート）、ＰＯＭ（ポリアセタール）、ＡＢＳ（アクリロニトリンブタジエンスチレン）、ＰＣ（ポリカーボネイト）、ＰＰＳ（ポリフェニレンサルファイド）、ＰＡ（ポリアミド）などのプラスティック素材が好ましいが、アルミニウム、マグネシウム、ＳＵＳ（ステンレス鋼）などの金属素材やそれらを複合した素材であっても構わない。
【０１８７】  また、本発明の増設ユニット及びその増設ユニットを含む電子機器によれば、支持レールの延在方向において複数のユニットが相互に隣接するように配置されても、取付位置を全く変動させることなく又は殆ど変動させることなく、容易に隣接する他のユニット交換（脱着）が可能な増設ユニット及びその増設ユニットを含む電子機器として有用である。
【符号の説明】
【０１８８】１０  計測制御用遠隔入出力装置
１１  電源・通信ユニット
１１ａ  可動スライダー
１１ｓ  スライダー
１２  増設ユニット
１２ａ  可動スライダー
１２ｂ  雄側端子部
１２ｂｆ  二又の接触端子
１２ｂｈ  保持部
１２ｂｍ  単一の接触端子
１２ｐ  貫通孔
１２ｃ  スライドレール
１２ｄ  延出片
１２ｅ  侵入用凹部
１２ｆ  雌側端子部
１２ｆｆ  二又の接触端子
１２ｆｈ  保持部
１２ｆｍ  単一の接触端子
１２ｈ  コネクタ端子部
１２ｓｌ  ケース左側面
１２ｓｒ  ケース右側面
１２ｋｌ  左基板
１２ｋｒ  右基板
１２ｕａ  上側ケース
１２ｕｂ  下側ケース
１３  増設ユニット
１３ａ  可動スライダー
１３ｂ  雄側端子部
１３ｃ  スライドレール
１３ｅ  進入用凹部
１３ｆ  ストレートレセプタクル
１３ｓ  スリット
１３ｓｌ  ケース左側面
１３ｋｌ  左基板
１３ｋｒ  右基板
１３ｕａ  上側ケース
１３ｕｂ  下側ケース
１３ｕｃ  フック
１４  計測制御用遠隔入出力装置
１５  増設ユニット
１５ａ  可動スライダー
１５ａｔ  爪部
１５ｂ  雄側端子部
１５ｃ  スライドレール
１５ｄ  延出片
１５ｅ  侵入用凹部
１５ｅｆ  前方側侵入用凹部
１５ｅｍ  接続用凹部
１５ｅｒ  後方側侵入用凹部
１５ｆ  雌側端子部
１５ｇ  ケース背面
１５ｈ  コネクタ端子部
１５ｓｌ  ケース左側面
１５ｓｒ  ケース右側面
２１、２２、２３  増設ユニット
２１ｅ、２２ｅ、２３ｅ  侵入用凹部
２１ｓｌ、２２ｓｌ、２３ｓｌ  ケース左側面
２２ｅｒ  第１侵入用凹部
２２ｅｍ  第２侵入用凹部
２２ｅｆ  第３侵入用凹部
２２ｅｓ  接続用凹部
２３ｅｆ  前方側侵入用凹部
２３ｅｒ  後方側侵入用凹部
ａ  長さ
ｄ  深さ
ｈ  突出高さ
ｓ  深さ
ｔ  張出片部の厚みの寸法
ｄｍａｘ  最大深さ
θｒ  後方側侵入用凹部のケース左側面に対する角度
θｍ  接続用凹部のケース左側面に対する角度
θｍａｘ  最大傾き
Ｌ  支持レール
Ｌ１  張出片部
Ｇ  隙間の寸法
Ｐ１  ケース背面端部
Ｐ２  爪部の遠方側端部
（Ｇ−ｔ）  寸法差
（（Ｇ−ｔ）／ａ）  比率
【図１】
0005613880.tif 000002
【図２】
0005613880.tif 000003
【図３】
0005613880.tif 000004
【図４】
0005613880.tif 000005
【図５】
0005613880.tif 000006
【図６】
0005613880.tif 000007
【図７】
0005613880.tif 000008
【図８】
0005613880.tif 000009
【図９】
0005613880.tif 000010
【図１０】
0005613880.tif 000011
【図１１】
0005613880.tif 000012
【図１２】
0005613880.tif 000013
【図１３】
0005613880.tif 000014
【図１４】
0005613880.tif 000015
【図１５】
0005613880.tif 000016
【図１６】
0005613880.tif 000017